(57)【特許請求の範囲】
【請求項１】
窓開口部と、窓開口部を開閉する障子と、窓開口部の室外側の中間部に設けた桟とを備え、障子は、室内側に開くように取付けてあり、障子を開いたときに障子が桟の室内側に隠れることを特徴とする建具。
【請求項２】
窓開口部と、窓開口部を開閉する障子と、窓開口部の室外側の中間部に設けた桟とを備え、障子は、室内側に開くように取付けてあり、桟は、左右または上下からの風を受けて室内側に誘導する風誘導面を有することを特徴とする建具。
【請求項３】
窓開口部の室外側に網戸を備え、網戸に桟が取付けてあることを特徴とする請求項１又は２記載の建具。
【発明の詳細な説明】
【技術分野】
【０００１】
本発明は、採風機能を有する建具に関する。
【背景技術】
【０００２】
従来の採風が行えるドアとしては、ドア本体に縦長の開口部を設け、その開口部に上げ下げ窓を組み込んだものがあった（例えば、特許文献１参照）。そうした従来の採風ドアでは、上げ下げ窓の障子を全開にしたときでも開口部が半分しか開かないので、風の取り込み量が少なかった。また、障子を開けていることが室外側から見て分かるので、防犯上好ましくない。さらに、障子が見込み方向に２枚並ぶため、上げ下げ窓がドアの厚み内に収まらずに室外側に大きく出っ張り、体裁が良くなかった。
【先行技術文献】
【特許文献】
【０００３】
【特許文献１】特許第３４１７３４６号公報
【発明の概要】
【発明が解決しようとする課題】
【０００４】
本発明は以上に述べた実情に鑑み、風の取り込み量を多くすることができ、防犯性や意匠性も良好な建具の提供を目的とする。
【課題を解決するための手段】
【０００５】
上記の課題を達成するために請求項１記載の発明による建具は、窓開口部と、窓開口部を開閉する障子と、窓開口部の室外側の中間部に設けた桟とを備え、障子は、室内側に開くように取付けてあり、障子を開いたときに障子が桟の室内側に隠れることを特徴とする。
【０００６】
請求項２記載の発明による建具は、窓開口部と、窓開口部を開閉する障子と、窓開口部の室外側の中間部に設けた桟とを備え、障子は、室内側に開くように取付けてあり、桟は、左右または上下からの風を受けて室内側に誘導する風誘導面を有することを特徴とする。
【０００７】
請求項３記載の発明による建具は、請求項１又は２記載の発明の構成に加え、窓開口部の室外側に網戸を備え、網戸に桟が取付けてあることを特徴とする。
【発明の効果】
【０００８】
請求項１記載の発明による建具は、窓開口部に障子を室内側に開くように設けたので、障子を開くことで窓開口部を全開でき、尚且つ開いた障子が桟の室内側に隠れるため、障子が室内側に吹き込む風の妨げにならないので、風の取り込み量を多くすることができる。また、障子を開いたときに障子が桟の室内側に隠れることで、室外側から見て障子を開いていることが分からないため、防犯性が向上する。障子を室内側に開くように設けることで、ドアに組み込んで採風ドアとする場合には、ドアの室外側面からの出っ張りを小さくでき、意匠性が向上する。
【０００９】
請求項２記載の発明による建具は、窓開口部に障子を室内側に開くように設けたので、障子を開くことで窓開口部を全開でき、尚且つ桟に左右または上下からの風を受けて室内側に誘導する風誘導面を有することで、正面からの風だけでなく左右または上下からの風も室内に取り込めるため、風の取り込み量を多くすることができる。障子を室内側に開くように設けることで、ドアに組み込んで採風ドアとする場合には、ドアの室外側面からの出っ張りを小さくでき、意匠性が向上する。
【００１０】
請求項３記載の発明による建具は、窓開口部の室外側に網戸を備えるので、虫の侵入を防ぐことができ、桟を網戸に取付けたので、網戸の着脱時に桟が邪魔にならず、網戸の着脱が容易に行え、網戸を取り外して掃除や網の交換が簡単に行える。
【図面の簡単な説明】
【００１１】
【図１】図２〜５に示す玄関ドアの横断面図であって、障子を開けたときの状態を示す。
【図２】本発明の建具の一実施形態に係る玄関ドアの室外側正面図である。
【図３】同玄関ドアの室内側正面図である。
【図４】図２のＡ−Ａ断面図である。
【図５】図３のＢ−Ｂ断面図である。
【図６】（ａ）は図３のＣ−Ｃ断面図であり、（ｂ）は障子のロック装置をＸ方向から見た側面図である。
【図７】網戸の取付要領を示す斜視図である。
【図８】本発明の建具の他の実施形態を示す横断面図である。
【図９】本発明の建具のさらに別の実施形態を示す縦断面図である。
【発明を実施するための形態】
【００１２】
以下、本発明の実施の形態を図面に基づいて説明する。図１〜６は、本発明の建具の一実施形態に係る玄関ドア１０を示している。この玄関ドア１０は、玄関の開口部に固定したドア枠（図示省略）に蝶番１１にて開閉自在に取付けられるものであり、図４，５に示すように、室外側と室内側とに鋼板を用いてなるドアパネル１２ａ，１２ｂを有し、ドア内部には芯材となる断熱材１３が両ドアパネル１２ａ，１２ｂの裏面に接着して設けてあり、ドア外周部には断熱材１３の周囲を囲むようにアルミニウム合金の押出形材よりなる枠１４がドアパネル１２ａ，１２ｂと接着して設けてある。
本玄関ドア１０は、図３，４に示すように、幅方向の中心より吊元寄りの位置にドア上部からドア下部にわたって縦長の窓開口部１を設け、窓開口部１にたてすべり出し窓５を組み込んであり、図１に示すように、たてすべり出し窓５の障子２を室内側に開けることで、ドアを閉めたままで採風が行えるようにしている。
【００１３】
たてすべり出し窓５は、図３〜５に示すように、窓開口部１に固定された窓枠１５と、窓枠１５に上下のフリクションステー１６，１６により連結した障子２とを備えている。窓枠１５は、上枠１７と下枠１８と左右の竪枠１９，１９とを四周枠組みして構成され、窓開口部１に室外側から嵌め込んでネジ（図示省略）で固定してある。窓枠１５の室内側には、額縁２０が設けてある。窓枠１５は、室外側端部に内周側に突出した突出片２１を有し、突出片２１の先端部にタイト材２２が取付けてあり、タイト材２２は障子２の室外側面に当接している。
下枠１８は、図４に示すように、内周側見込面の室内側寄りの位置に、室内側に向かうにつれて内周側に傾斜した傾斜面２３を有している。障子２から下枠１８上に流下する雨水や結露水等は、この傾斜面２３により室外側に誘導され、下枠１８の室外側下部に設けた排水弁２４より室外に排水される。なお上枠１７は、下枠１８と対称な断面形状となっている。
【００１４】
障子２は、上框２５と下框２６と吊元框２７と戸先框２８とを四周框組みし、各框の内周側に形成した溝２９内にガラスパネル（複層ガラス）３０の周縁部を嵌め込んで固定したものとなっている。障子２は、室内側面に外周側に張り出す張出し部３１を有している。
フリクションステー１６は、従来のたてすべり出し窓に用いられるものと同様の構造のものであり、図４に示すように、上框１５と下框２６の張出し部３１の室外側に隠れた状態で配置してある。フリクションステー１６と上下枠１７，１８の間には、スペーサー３２が設けてある。
戸先框２８の室内側面には、図３に示すように、上下方向中間部に引手３３が設けてあり、その上方と下方にロック装置３４を備えている。ロック装置３４は、図６に示すように、戸先框２８にネジ固定した台座３５に操作レバー３６が水平軸３７で回動可能に連結してあり、図６（ｂ）中に実線で示すように、操作レバー３６を下向きに回動させると、操作レバー３６の先端部に設けた係合部３８が竪枠１９の内周側面に固定した受け金具３９に係合して障子２が閉鎖状態でロックされ、図６（ｂ）中に仮想線で示すように、操作レバー３６を上向きに操作すると、係合部３８が受け金具３９から外れて障子２を開けられる状態になる。
ロック装置３４を解除した後、引手３３に手を掛けて室内側に引くと、障子２は上下のフリクションステー１６，１６により室内側にすべり出しながら縦軸回りに９０°回動して開き、開いた障子２は図１に示すように、窓開口部１の左右方向の中央に位置する。
【００１５】
左右の竪枠１９の室外側には、図２，５に示すように、縦長のモール材４０がドア１０の上端から下端に亘って設けてあり、モール材４０は内周側が開口した係合溝４１を長手方向に沿って有している。係合溝４１は、図７に示すように、上端が開口している。
【００１６】
窓開口部１の室外側には、図２，４，５に示すように、モール材４０の係合溝４１に係合させて網戸４が取付けてある。網戸４は、上框４２と下框４３と左右の竪框４４，４４を四周框組みし、その内周部室内側面に網材４５を張り、室内側から網押さえゴム４６で網材４５を固定して構成してある。網戸４は、ドア１０と略同じ高さを有しており、図４に示すように、網戸４の上框４２の下端４２ａを上枠１７の下端１７ａと面一とし、網戸４の下框４３の上端４３ａを下枠１８の上端１８ａと面一にしてある。網戸４の竪框４４の上端部には、図２，７に示すように、振れ止め具４７が側方に張り出して設けてあり、振れ止め具４７をモール材４０の係合溝４１に上方から嵌合させることで、網戸４の上部を位置決めし且つ振れ止めしている。網戸４の下部は、図２，５に示すように、室内側から竪枠１９を貫通して網戸４の竪框４４に固定具４８を差し込んで固定している。さらに、ドア１０の室外側面の下部には、図４，７に示すように、モール材４０，４０間に横材４９が取付けてあり、横材４９は網戸４の支持部５０と係合部５１を有し、支持部５０で網戸４を支持し、係合部５１に網戸４の下框４３を係合させている。
【００１７】
網戸４の室外側面には、図２，４，５に示すように、縦桟３が取付けてある。縦桟３は、アルミニウム合金の押出形材で形成したものであり、図５に示すように、室外側面３ａが幅広で円弧状に膨らみ、室内側に向かうにつれて先すぼまりとなるように左右側面３ｂ，３ｂが円弧状にくぼんだ凹曲面となり、室内側面３ｃが幅の狭い平坦面となったイチョウ形の断面形状となっている。縦桟３は、網戸４の左右方向の中心位置に網戸４の上端から下端にわたって配置され、平坦な室内側面３ｃを網戸４の上下框４２，４３の室外側面に当接して室内側からのネジ５２で固定して取付けてある。縦桟３の室外側面３ａの横幅は、障子２の厚みよりも広く、且つ網戸４の竪框４４，４４の間隔よりも狭くなっている。
【００１８】
網戸４の取り付け方を説明すると、図７の矢印Ａに示すように、網戸４を若干持ち上げながらドア１０のモール材４０，４０の係合溝４１，４１間に左右のけんどんにて嵌め込んだ後、図７の矢印Ｂに示すように、網戸４を少し下に移動させると、上端部の振れ止め具４７，４７がモール材４０，４０の係合溝４１，４１に上方から嵌合し、網戸４の上端部がドア１０の所定位置にがたつきなくセットされる。またこのとき、網戸４の下部はドア１０の横材４９の支持部５０に支持されると共に、下框４３が横材４９の係合部５１に係合する。その後、網戸４の竪框４４，４４に室内側から固定具４８，４８を挿入し、網戸４を固定する。
網戸４を取り外す場合は、固定具４８，４８を外した後、網戸４を若干持ち上げると振れ止め具４７，４７が係合溝４１，４１から外れるので、後は左右のけんどんにて両竪框４４，４４を係合溝４１，４１から抜くことで簡単に取り外すことができる。網戸４の着脱を行う際、縦桟３を掴むことで網戸４の着脱が容易に行える。
【００１９】
本玄関ドア１０は以上に述べたように構成され、ドアの上部から下部にわたって縦長の窓開口部１を設け、窓開口部１に組み込んだたてすべり出し窓５の障子２を室内側に９０°開くことで窓開口部１を全開でき、しかも開いた障子２が図１に示すように縦桟３の室内側に隠れるため、障子２が室外側から吹き込む風５３の妨げとならないので、風の取り込み量を多くすることができる。また、障子２を開いたときに障子２が縦桟３の室内側に隠れることで、室外側から見て障子２を開いていることが分からないため、防犯性が向上する。また、障子２を室内側に開くように設けたことで、上げ下げ障子を組み込んだときのように室外側に窓枠１５や障子２が出っ張らず、意匠性が優れている。
さらに、縦桟３を室内側に向かうにつれて先すぼまりのイチョウ形の断面にしたことで、図１に示すように、左右からの風５４が縦桟３の円弧状の側面３ｂ，３ｂに沿って室内側に向けて方向転換するため、室外側からの風５３だけでなく左右からの風５４も室内に効率よく取り込めるので、採風効率がより一層向上する。縦桟３の側面３ｂ，３ｂの形状はまっすぐな傾斜面であってもよいが、実施形態のように円弧状の凹曲面とすることで、左右からの風５４を室内側に向けて良好に方向転換できる。
また本玄関ドア１０は、窓開口部１の室外側に網戸４を備えているので、障子２を開けて採風を行っているときに虫の侵入を防止でき、縦桟３を網戸４に取付けたので、網戸４を縦桟３ごと簡単に着脱することができ、掃除や網材４５の張り替えが容易に行える。縦桟３は網戸４の上下框４２，４３の室外側面にネジ５２で固定してあり、網材４５は室内側面に取付けてあるので、縦桟３を取り外すことなく網材４５の張り替え等が行える。
さらに本玄関ドア１０は、図４に示すように、下枠１８の内周側見込面の室内側寄りの位置に、室内側に向かうにつれて内周側に傾斜した傾斜面２３を有しているので、雨水や結露水の排水性が良好である。さらに、網戸４の上框４２の下端４２ａを上枠１７の下端１７ａと面一とし、網戸４の下框４３の上端４３ａを下枠１８の上端１８ａと面一としたことで、室外側面の意匠性がより向上している。
【００２０】
図８は、本発明の建具の他の実施形態を示している。本実施形態は、窓開口部１の横幅が先の実施形態よりも広くなっており、障子２はたてすべり出し式に室内側に開き、開いた障子２は窓開口部１の中心よりも室内側から見て右側に寄った位置に位置する。窓開口部１の室外側には網戸４が設置され、網戸４の室外側面にイチョウ形断面の縦桟３が間隔をおいて２本取付けてあり、開いた障子２が一方の縦桟３の室内側に隠れるようにしている。網戸４は、竪框４４の内周側端４４ａを竪枠１９の内周側端１９ａと面一としている。本実施形態の建具は、先の実施形態と同様にドアに組み込んでもよいし、壁の開口部に設置したものでもよい。
本実施形態によれば、窓開口部１の面積が広いため風をより多く取り込むことができ、且つ縦桟３の側面３ｂで左右からの風５４を室内側に向けて誘導でき、室外側からの風５３だけでなく左右からの風５４も取り込めるので採風効率がさらに向上する。開いた障子２が縦桟３の室内側に隠れることで、障子２が室外側から吹き込む風５３の妨げとならない点、防犯性が向上する点は、先の実施形態と同様である。網戸４の竪框４４の内周側端４４ａを竪枠１９の内周側端１９ａと面一としたことで、開口面積が網戸４によって狭められず、尚且つ室外側面の意匠性を向上できる。
【００２１】
図９は、本発明の建具のさらに別の実施形態を示している。本実施形態は、窓開口部１が横長に形成され、障子２は横すべり出し式に室内側に開き、開いた障子２は窓開口部１の上下方向の中心に位置する。窓開口部１の室外側には網戸４が設置され、網戸４の室外側面の上下方向の中心位置にイチョウ形断面の横桟５５が取付けてあり、開いた障子２が横桟５５の室内側に隠れるようにしている。本実施形態の建具は、先の実施形態と同様にドアに組み込んでもよいし、壁の開口部に設置したものでもよい。
本実施形態によれば、障子２を横すべり出し式に室内側に開くことで窓開口部１を全開でき、且つ横桟５５の上下面（風誘導面）５５ａ，５５ａで上下からの風５６を室内側に向けて誘導することで、室外側からの風５３だけでなく上下からの風５６も取り込めるので、風の取り込み量を多くできる。開いた障子２が横桟５５の室内側に隠れることで、障子２が室外側から吹き込む風５３の妨げとならない点、防犯性が向上する点は、先の実施形態と同様である。
【００２２】
本発明は以上に述べた実施形態に限定されない。障子２は、たてすべり出し又は横すべり出し式に開くものに限らず、蝶番等により室内側に回動して開くものであってもよい。また、障子２を上下又は左右に複数並べて設置し、開いた障子２がそれぞれ隠れるように桟３，５５を複数設けたものであってもよい。そして、ルーバー窓のように障子を上下又は左右に多数並べて設置し、各障子がそれぞれ隠れるように桟を複数設けたものであってもよい。桟３，５５の断面形状は任意であり、風誘導面は円弧状面ではなく傾斜面であってもよい。請求項１記載の発明の建具においては、桟３，５５は必ずしも風誘導面を有しないものであってもよい。本発明は、玄関ドアに限らず、勝手口ドアや窓等、あらゆる建具に適用することができる。
【符号の説明】
【００２３】
１  窓開口部
２  障子
３  縦桟（桟）
３ｂ  縦桟の側面（風誘導面）
４  網戸
５  たてすべり出し窓
１０  玄関ドア（建具）
５５  横桟（桟）
５５ａ  横桟の上下面（風誘導面）
【図１】
0005740298.tif 000002
【図２】
0005740298.tif 000003
【図３】
0005740298.tif 000004
【図４】
0005740298.tif 000005
【図５】
0005740298.tif 000006
【図６】
0005740298.tif 000007
【図７】
0005740298.tif 000008
【図８】
0005740298.tif 000009
【図９】
0005740298.tif 000010